(57)【要約】【課題】表装材の端部における断熱性及び防水性を向上させることができると共に、強度を保持することができ、かつ外観を良好にすることができる表装材の端部処理方法及びその方法に用いられる端部処理材を提供する。【解決手段】表装材１４は、基板１１と、その表面に貼着される介装シート１２と、その表面に貼着される化粧材１３とより構成されている。介装シート１２の隣接する２辺側の表面には化粧材１３の隣接する２辺から張り出す表側重ね代部１７が形成されると共に、介装シート１２の他の２辺側の裏面には基板１１の隣接する２辺から張り出す裏側重ね代部１６が形成されている。そして、表側重ね代部１７の上に裏側重ね代部１６を載せて貼着し、繰り返すことで建築物の外壁面等が被覆される。表装材１４の端部の裏側重ね代部１６に基づく基板非支持部２７は、断熱性及び防水性を有する端部処理材２３が嵌め込まれて処理される。【選択図】図１
2009046974.tif 000002
【特許請求の範囲】
【請求項１】
基板と、該基板の表面に設けられる介装シートと、該介装シートの表面に設けられ前記基板と同形の化粧材とにより構成され、前記介装シートの隣接する２辺側の表面には化粧材の隣接する２辺から張り出す表側重ね代部が形成されると共に、介装シートの他の２辺側の裏面には基板の隣接する２辺から張り出す裏側重ね代部が形成された矩形状の表装材を、表側重ね代部の上に裏側重ね代部を載せて貼着し、それを順に繰り返して建築物の壁面、床面又は天井面の表面を被覆する方法において、
表装材の裏側重ね代部に基づく基板非支持部を、断熱性及び防水性を有する端部処理材で埋めることを特徴とする表装材の端部処理方法。
【請求項２】
前記端部処理材は、断熱性を有する樹脂発泡体で形成された芯材が防水紙及び前記化粧材と同質の化粧処理材で覆われて構成されていることを特徴とする請求項１に記載の表装材の端部処理方法。
【請求項３】
前記端部処理材は、その芯材が表装材の基板の長さ及び厚さに対応する形状を有すると共に、化粧処理材が表装材の化粧材の長さ及び厚さに対応する形状を有し、かつ防水紙が介装シートの長さと対応する長さに形成されていることを特徴とする請求項２に記載の表装材の端部処理方法。
【請求項４】
前記端部処理材は、その化粧処理材が表装材の化粧材の長さ及び厚さと対応する形状に形成されると共に、芯材が表装材の基板の長さよりも長く形成され、かつ防水紙が芯材の長さと対応する長さに形成されていることを特徴とする請求項２に記載の表装材の端部処理方法。
【請求項５】
前記端部処理材は、その化粧処理材が表装材の化粧材の長さより長く形成されると共に、芯材が表装材の基板の長さよりも短く形成され、かつ防水紙が化粧処理材の長さと対応する長さに形成されていることを特徴とする請求項２に記載の表装材の端部処理方法。
【請求項６】
前記端部処理材は、断熱性を有する樹脂発泡体で形成された芯材が基板の端部に対向する部分及び端面以外の外周面が端部処理時までに防水紙で覆われると共に、防水紙の端部が基板の裏面に達する長さに形成され、端部処理時に防水紙の端部が基板の裏面に接着されるように構成されていることを特徴とする請求項２に記載の表装材の端部処理方法。
【請求項７】
前記端部処理材における化粧処理材の外面は表装材の端部における化粧材の外面と連続性を有するように形成されていることを特徴とする請求項２から請求項５のいずれか１項に記載の表装材の端部処理方法。
【請求項８】
前記端部処理材は、断熱性を有する樹脂発泡体で形成された芯材が基板の端部に対向する部分及び端面以外の外周面が端部処理時までに防水紙で覆われると共に、防水紙の端部が基板の裏面に達する長さに形成され、端部処理時に防水紙の端部が基板の裏面に接着されるように構成されていることを特徴とする請求項１に記載の表装材の端部処理方法。
【請求項９】
前記端部処理材は、断熱性を有する樹脂発泡体で形成された芯材が防水紙で覆われて構成されていることを特徴とする請求項１に記載の表装材の端部処理方法。
【請求項１０】
請求項１から請求項９のいずれか１項に記載の表装材の端部処理方法に使用される端部処理材であって、表装材の端部に形成される裏側重ね代部に基づく基板非支持部を埋めるための断熱性及び防水性を有する材料で構成されていることを特徴とする表装材の端部処理材。
【発明の詳細な説明】
【技術分野】
【０００１】
本発明は、例えば建築物の外壁面に使用される表装材の端部処理方法及びその方法に用いられる端部処理材に関するものである。
【背景技術】
【０００２】
従来、この種の表装材について、複数の表装材を重ね合せて建築物の外壁面を被覆するためのものが知られている（例えば、特許文献１を参照）。すなわち、係る表装材は、基板と、その基板の表面に貼着された介装シートと、その介装シートの表面に定着された化粧材とから構成されている。そして、介装シートの隣接する２辺の表面には化粧材の隣接する２辺から張り出す表側重ね代部が形成されると共に、介装シートの他の２辺の裏面には基板の隣接する２辺から張り出す裏側重ね代部が形成されている。この表装材を建築物の外壁面に施工する場合には、介装シート及び基板に固定のための孔をあけ、最初に固定する表装材を外壁面の所定位置に前記孔に釘などを打ちつけて固定する。次に、最初の表装材の表側重ね代部にその隣接位置に配置する表装材の裏側重ね代部を重ねて相互に貼着させる。続いて、このような操作を順次繰り返すことにより、外壁面全体に表装材を貼着することができる。
【特許文献１】特許第３０２３０７５号公報（第１頁及び第３頁）
【発明の開示】
【発明が解決しようとする課題】
【０００３】
しかしながら、特許文献１に記載されている表装材を建築物の外壁面に貼着した後には、外壁面の周縁部に位置する表装材の端部に裏側重ね代部によって空間部が形成されたり、端面が露出したりする場合がある。そのような表装材の端部においては、空間部が形成されることによって断熱性が損なわれたり、その部分の強度が不足したりするという問題があった。さらに、表装材の端部が露出されることによって端部において防水性が損なわれたり、外観が損なわれたりするという問題があった。
【０００４】
本発明は、このような従来技術の問題点に着目してなされたものであり、その目的とするところは、表装材の端部における断熱性及び防水性を向上させることができると共に、強度を保持することができ、かつ外観を良好にすることができる表装材の端部処理方法及びその方法に用いられる端部処理材を提供することにある。
【課題を解決するための手段】
【０００５】
上記の目的を達成するために、請求項１の表装材の端部処理方法は、基板と、該基板の表面に設けられる介装シートと、該介装シートの表面に設けられ前記基板と同形の化粧材とにより構成され、前記介装シートの隣接する２辺側の表面には化粧材の隣接する２辺から張り出す表側重ね代部が形成されると共に、介装シートの他の２辺側の裏面には基板の隣接する２辺から張り出す裏側重ね代部が形成された矩形状の表装材を、表側重ね代部の上に裏側重ね代部を載せて貼着し、それを順に繰り返して建築物の壁面、床面又は天井面の表面を被覆する方法である。そして、表装材の裏側重ね代部に基づく基板非支持部を、断熱性及び防水性を有する端部処理材で埋めることを特徴とする。
【０００６】
請求項２の表装材の端部処理方法は、請求項１に係る発明において、前記端部処理材は、断熱性を有する樹脂発泡体で形成された芯材が防水紙及び前記化粧材と同質の化粧処理材で覆われて構成されていることを特徴とする。
【０００７】
請求項３の表装材の端部処理方法は、請求項２に係る発明において、前記端部処理材は、その芯材が表装材の基板の長さ及び厚さに対応する形状を有すると共に、化粧処理材が表装材の化粧材の長さ及び厚さに対応する形状を有し、かつ防水紙が介装シートの長さと対応する長さに形成されていることを特徴とする。
【０００８】
請求項４の表装材の端部処理方法は、請求項２に係る発明において、前記端部処理材は、その化粧処理材が表装材の化粧材の長さ及び厚さと対応する形状に形成されると共に、芯材が表装材の基板の長さよりも長く形成され、かつ防水紙が芯材の長さと対応する長さに形成されていることを特徴とする。
【０００９】
請求項５の表装材の端部処理方法は、請求項２に係る発明において、前記端部処理材は、その化粧処理材が表装材の化粧材の長さより長く形成されると共に、芯材が表装材の基板の長さよりも短く形成され、かつ防水紙が化粧処理材の長さと対応する長さに形成されていることを特徴とする。
【００１０】
請求項６の表装材の端部処理方法は、請求項２に係る発明において、前記端部処理材は、断熱性を有する樹脂発泡体で形成された芯材が基板の端部に対向する部分及び端面以外の外周面が端部処理時までに防水紙で覆われると共に、防水紙の端部が基板の裏面に達する長さに形成され、端部処理時に防水紙の端部が基板の裏面に接着されるように構成されていることを特徴とする。
【００１１】
請求項７の表装材の端部処理方法は、請求項２から請求項５のいずれか１項に係る発明において、前記端部処理材における化粧処理材の外面は表装材の端部における化粧材の外面と連続性を有するように形成されていることを特徴とする。
【００１２】
請求項８の表装材の端部処理方法は、請求項１に係る発明において、前記端部処理材は、断熱性を有する樹脂発泡体で形成された芯材が基板の端部に対向する部分及び端面以外の外周面が端部処理時までに防水紙で覆われると共に、防水紙の端部が基板の裏面に達する長さに形成され、端部処理時に防水紙の端部が基板の裏面に接着されるように構成されていることを特徴とする。
【００１３】
請求項９の表装材の端部処理方法は、請求項１に係る発明において、前記端部処理材は、断熱性を有する樹脂発泡体で形成された芯材が防水紙で覆われて構成されていることを特徴とする。
【００１４】
請求項１０の端部処理材は、請求項１から請求項９のいずれか１項に記載の表装材の端部処理方法に使用される端部処理材であって、表装材の端部に形成される裏側重ね代部に基づく基板非支持部を埋めるための断熱性及び防水性を有する材料で構成されていることを特徴とする。
【発明の効果】
【００１５】
本発明によれば、次のような効果を発揮することができる。
請求項１の表装材の端部処理方法においては、表装材の端部に形成される裏側重ね代部に基づく基板非支持部を、断熱性及び防水性を有する端部処理材で埋めるように構成されている。このため、表装材の端部において端部処理材のもつ特性を発現することができると同時に、基板非支持部が端部処理材で埋められるためその部分で強度を発現でき、さらに露出部分を覆うことができる。従って、表装材の端部における断熱性及び防水性を向上させることができると共に、強度を保持することができ、かつ外観を良好にすることができる。
【００１６】
請求項２の表装材の端部処理方法では、端部処理材は断熱性を有する樹脂発泡体で形成された芯材が防水紙及び前記化粧材と同質の化粧処理材で覆われて構成されている。このため、請求項１に係る発明の効果に加え、芯材によって断熱性を発揮することができると共に、防水紙によって防水性を発揮することができ、かつ化粧材によって外観を向上させることができる。
【００１７】
請求項３の表装材の端部処理方法では、端部処理材は、その芯材が表装材の基板の長さ及び厚さに対応する形状を有すると共に、化粧処理材が表装材の化粧材の長さ及び厚さに対応する形状を有し、かつ防水紙が介装シートの長さと対応する長さに形成されている。このため、請求項２に係る発明の効果に加えて、端部処理材を表装材端部の基板非支持部に嵌めこむだけで容易に表装材の端部処理を行うことができる。
【００１８】
請求項４の表装材の端部処理方法では、端部処理材は、その化粧処理材が表装材の化粧材の長さ及び厚さと対応する形状に形成されると共に、芯材が表装材の基板の長さよりも長く形成され、かつ防水紙が芯材の長さと対応する長さに形成されている。従って、請求項２に係る発明の効果に加え、芯材の端部を切除して所要の長さとした端部処理材を用いることにより、表装材の端部処理を行うことができる。
【００１９】
請求項５の表装材の端部処理方法では、端部処理材は、その化粧処理材が表装材の化粧材の長さより長く形成されると共に、芯材が表装材の基板の長さよりも短く形成され、かつ防水紙が化粧処理材の長さと対応する長さに形成されている。このため、請求項２に係る発明の効果に加えて、化粧処理材の端部を切除して所要の長さにすると共に、芯材を足して所要の長さとした端部処理材を用いることにより、表装材の端部処理を行うことができる。
【００２０】
請求項６の表装材の端部処理方法では、端部処理材は断熱性を有する樹脂発泡体で形成された芯材が基板の端部に対向する部分及び端面以外の外周面が端部処理時までに防水紙で覆われている。このため、請求項２に係る発明の効果に加えて、防水性を保持しつつ、基板の端部に対向する部分における防水紙を省略して構成を簡易にすることができる。さらに、防水紙の端部が基板の裏面に達する長さに形成され、端部処理時に防水紙の端部が基板の裏面に接着されるように構成されていることから、防水紙を基板の裏面に宛がい、防水紙の端部を基板の裏面に容易に接着することができると共に、防水性を向上させることができる。
【００２１】
請求項７の表装材の端部処理方法では、端部処理材における化粧処理材の外面は表装材の端部における化粧材の外面と連続性を有するように形成されている。従って、請求項２から請求項５のいずれかに係る発明の効果に加え、表装材の端部を綺麗に仕上げることができる。
【００２２】
請求項８の表装材の端部処理方法では、端部処理材は断熱性を有する樹脂発泡体で形成された芯材が基板の端部に対向する部分及び端面以外の外周面が防水紙で覆われて構成されている。このため、請求項１に係る発明の効果に加え、芯材によって断熱性を発揮することができると共に、防水紙によって防水性を発揮することができる上に、基板の端部に対向する部分における防水紙を省略して構成を簡易にすることができる。さらに、防水紙の端部が基板の裏面に達する長さに形成され、端部処理時に防水紙の端部が基板の裏面に接着されるように構成されているため、防水紙を基板の裏面に宛がい、防水紙の端部を基板の裏面に容易に接着することができると共に、防水性を向上させることができる。
【００２３】
請求項９の表装材の端部処理方法では、端部処理材は断熱性を有する樹脂発泡体で形成された芯材が防水紙で覆われて構成されている。このため、請求項１に係る発明の効果に加えて、端部処理材を簡単に構成することができる。
【００２４】
請求項１０の表装材の端部処理材では、表装材の端部に形成される裏側重ね代部に基づく基板非支持部を埋めるための断熱性及び防水性を有する材料で構成されている。従って、係る端部処理材は請求項１から請求項９のいずれかの表装材の端部処理方法に使用され、その効果を容易に発揮させることができる。
【発明を実施するための最良の形態】
【００２５】
以下、本発明の最良と思われる実施形態を図面に基づいて詳細に説明する。
（第１実施形態）
以下、この発明の第１実施形態を図１及び２並びに図５〜１０に基づいて詳細に説明する。
【００２６】
図５及び図７に示すように、基板１１上には介装シート１２が設けられ、該介装シート１２上には化粧材１３が設けられて積層構造を有する表装材１４が構成されている。基板１１は鉄、アルミニウム等の金属などにより形成されて剛性を有すると共に、その表裏両面には黒皮等の腐食防止膜が設けられている。また、基板１１は樹脂発泡体により形成されていてもよい。この基板１１としては、後述する端部処理材２３の芯材２４と同じ材質にすることが好ましい。この場合、基板１１と芯材２４との線膨張係数を合せることができると共に、断熱性能を得ることができる。介装シ−ト１２は、不織布、ガラスクロス、セラミックペ−パ−、合成紙等の素材により形成され、柔軟性を有している。化粧材１３は、天然石やその砕石、着色骨材、着色プラスチック砕粒を、合成樹脂エマルション、合成樹脂の溶剤溶液、ホットメルト樹脂等に配合して所定形状に成形し、その表面に模様が施されたもので、柔軟性及び防水性を有している。係る化粧材１３は、合成樹脂エマルション等の塗装又はその成形物の貼着により形成される。この表装材１４は、建築物の主に外壁面、内壁面等の壁面１５に適用される。
【００２７】
図６（ａ）〜（ｃ）に示すように、これらの化粧材１３、介装シ−ト１２及び基板１１は、共に矩形平板状に形成され、化粧材１３及び基板１１は同形同大で、介装シ−ト１２はそれらよりも大きく形成されている。ここで、化粧材１３は基板１１と同形に形成されるが、１枚の基板１１の半分のサイズに形成されていてもよく、すなわち１枚の基板１１に対して２枚の化粧材１３で同じサイズになるように構成されていてもよい。一方、基板１１が１枚の化粧材１３の半分のサイズに形成されていてもよく、つまり１枚の化粧材１３に対して２枚の基板１１で同じサイズになるように構成されていてもよい。そして、基板１１の隣接する２辺１１ａ、１１ｂが、介装シ−ト１２の隣接する２辺１２ａ、１２ｂと合致し、介装シ−ト１２の他の隣接する２辺１２ｃ、１２ｄが基板１１から張り出している。そして、介装シ−ト１２の２辺１２ｃ、１２ｄ側の裏面には、裏側重ね代部１６が形成されている。
【００２８】
また、化粧材１３の隣接する２辺１３ｃ、１３ｄが介装シ−ト１２の隣接する２辺１２ｃ、１２ｄと合致し、介装シ−ト１２の他の隣接する２辺１２ａ、１２ｂが化粧材１３から張り出している。そして、介装シ−ト１２の２辺１２ａ、１２ｂ側の表面には、表側重ね代部１７が形成されている。表側重ね代部１７と裏側重ね代部１６とは、介装シート１２の対角線を介して相互に対向（点対称位置）している。
【００２９】
図５及び図７に示すように、表側重ね代部１７及び裏側重ね代部１６にはそれぞれ粘着剤層１８、１９が形成され、それらの表面が剥離テ−プ２０、２１で被覆されて保護されている。この場合、表側重ね代部１７及び裏側重ね代部１６の少なくとも一方に粘着剤層１８、１９が設けられておればよい。粘着剤層１８、１９を形成する粘着剤としては、アクリルゴム系、非加硫ブチルゴム系、シリコ−ンゴム系、スチレン−ブタジエン共重合ゴム系、ポリイソプレン系、ポリビニルエ−テル系等の粘着剤が用いられる。これらの粘着剤は、粘着テ−プ、ラベル等に通常用いられる材料である。剥離テープ２０、２１は、テープ基材に特にフッ素樹脂、シリコ−ン樹脂等の離型剤を塗布したものである。この剥離テ−プ２０、２１の色は、介装シ−ト１２の色に対する対照色が用いられ、明確な色分けがなされている。表側重ね代部１７における化粧材１３の周縁部と粘着剤層１８との間には、非粘着部２２が形成されている。
【００３０】
表装材１４を複数並べて使用する際には、各化粧材１３間に非粘着部２２による隙間ができるように表装材１４が配置される。このように各化粧材１３間に隙間を設けるために、基板１１の大きさは、化粧材１３と非粘着部２２とを合わせた面積と同形同大に形成される。この場合、表装材１４を壁面等へ貼り付けていく際に、隣接する基板１１を突き合せて貼り付けていくことにより、自ずと隣接する化粧材１３間に一定間隔の隙間が形成される。従って、この隙間を目地として活用することができると共に、簡単かつ確実に一定幅の目地を形成することができる。さらに、目地の部分に粘着剤層１８が露出することなく、目地の部分に埃が貼り付くことを防止することができる。
【００３１】
さて、このように構成された表装材１４を複数並べ、建築物の外壁面等の壁面１５に固定する場合には、介装シ−ト１２の表側重ね代部１７において、その介装シ−ト１２及び基板１１の所要位置に固定のための図示しない貫通孔をあける。その後、必要に応じて基板１１の裏面に形成された粘着剤層１９上の剥離テ−プ２１を剥がして、表装材１４を目的とする壁面等へ貼着させると共に、前記貫通孔を介して固定具を打ちつけて固定する。固定具としては、釘、ビス、木ねじ、アンカーピン等が用いられる。次いで、表装材１４の隣接する表裏の表側重ね代部１７及び裏側重ね代部１６を重ねて相互に貼着させる。この操作を順次繰り返していけばよいので、施工を容易に行うことができる。しかも、表装材１４の裏面には鉄製の基板１１が貼着されているので、壁面等の下地が連続した平面でなくても、図１０に示すように、表装材１４を凹凸なく整然と貼り付けることができる。なお、この明細書においては、内容の理解を容易にするために、図１、図３、図５、図７等における各部材の厚さを誇張して厚く描いてある。また、図１０においては、表装材１４の枚数を少なくして描いてある。
【００３２】
さらに、表装材１４は、使用される位置に応じて種々の全体形状のものが選択される。すなわち、図１０のＡ位置には図８に示したものが使用される。すなわち、基板１１上に介装シート１２を貼着し、その上に化粧材１３を貼着して、介装シート１２の裏面に裏側重ね代部１６及び介装シート１２の表面に表側重ね代部１７が形成されたものである。図９（ａ）に示す表装材１４は、図１０のＢ位置に使用されるもので、介装シ−ト１２及び基板１１の２点鎖線部が切除されたものである。図９（ｂ）に示す表装材１４は、図１０のＣ位置に使用されるもので、裏側重ね代部１６が下部のみに形成されたものである。図９（ｃ）に示す表装材１４は、図１０のＤ位置に使用されるもので、裏側重ね代部１６が形成されないものである。図９（ｄ）に示す表装材１４は、図１０のＥ位置に使用されるもので、介装シ−ト１２及び基板１１の２点鎖線部が切除されたものである。
【００３３】
図９（ｅ）に示す表装材１４は、図１０のＦ位置に使用されるもので、裏側重ね代部１６が左部のみ形成されたものである。図９（ｆ）に示す表装材１４は、図１０のＧ位置に使用されるもので、介装シ−ト１２及び基板１１の２点鎖線部が切除されたものである。図９（ｇ）に示す表装材１４は、図１０のＨ位置に使用されるもので、介装シ−ト１２及び基板１１の２点鎖線部が切除されたものである。図９（ｈ）に示す表装材１４は、図１０のＩ位置に使用されるもので、介装シ−ト１２及び基板１１の２点鎖線部が切除されたものである。
【００３４】
上記の場合には、壁面１５の縦横長が表装材１４の縦横長のほぼ倍数の関係にある場合である。このようなほぼ倍数の関係にない場合には、壁面１５の外周縁に位置する表装材１４を必要な大きさに合わせて切って使用される。表装材１４を施工した後の端部は露出される場合があり、その場合には表装材１４の端部を被覆する処理を行う必要がある。そのため、端部処理材を用いた表装材１４の端部処理が行われる。
【００３５】
そこで、端部処理材を用いた表装材１４の端部処理方法について説明する。
図２（ａ）に示すように、端部処理材２３は、断熱性を有する樹脂発泡体で形成された四角棒状をなす芯材２４の外周部に防水紙２５が巻付けられて接着されると共に、芯材２４の一側面に前記化粧材１３と同じ材料で形成された化粧処理材１３ａが貼着されて構成されている。防水紙２５は、芯材２４の化粧処理材１３ａとは反対側に延出されると共に、図２（ａ）の右端側に延出されている。なお、防水紙２５は芯材２４に化粧処理材１３ａが貼着されている部分には省略することができる。化粧処理材１３ａは、図２（ａ）の左端側が芯材２４よりも短く形成されると共に、図２（ａ）の右端側が芯材２４よりも長く形成され、防水紙２５は化粧処理材１３ａと同じ長さになっている。芯材２４は、前記表装材１４の基板１１と対応するようにほぼ同じ長さ及び厚さに形成され、裏側重ね代部１６に基づく基板非支持部２７に対応する大きさになっている。化粧処理材１３ａにおける図２（ａ）の上端面は４５度の斜面２６となっている。
【００３６】
図２（ａ）における芯材２４の上面及び側面、化粧処理材１３ａの斜面２６及び防水紙２５の延出部の上面には図示しない粘着剤層が設けられ、その上には図示しない剥離テープが貼り付けられている。そして、使用時には剥離テープを剥がして使用するようになっている。芯材２４を形成する樹脂発泡体としては、ポリスチレン発泡体、ポリウレタン発泡体、ポリエチレン発泡体、ポリプロピレン発泡体、フェノール樹脂発泡体、塩化ビニル樹脂発泡体等が用いられる。この樹脂発泡体は、断熱性を発現するために独立気泡構造に形成されている。防水紙２５は、例えばフェルトにアスファルトを浸透させた防水材料で、黒色を呈している。図２（ｂ）に示す端部処理材２３では、芯材２４及び防水紙２５は図２（ａ）と同様に構成されているが、化粧処理材１３ａはその長さが芯材２４と同じ長さになるように構成されている。
【００３７】
図１（ａ）は、表装材１４を裏面側から見た斜視図であり、その右端部の露出部を端部処理材２３で処理する状態を示す分解斜視図である。表装材１４裏面の右端部及び上端部は、裏側重ね代部１６によって基板非支持部２７が形成されている。この基板非支持部２７は、介装シート１２の裏面に基板１１が設けられていない空隙部である。前記図２（ａ）に示す端部処理材２３は図１（ａ）に示す表装材１４の右端部を処理するためのものであり、図２（ｂ）に示す端部処理材２３は図１（ａ）に示す表装材１４の上端部を処理するためのものである。
【００３８】
図２（ｃ）に示す端部処理材２３は、図１（ａ）に示す表装材１４の右端部及び上端部のいずれの端部処理にも使用可能なものである。すなわち、化粧処理材１３ａは表装材１４を構成する化粧材１３と同じ長さ及び厚さに設定されると共に、芯材２４は化粧処理材１３ａよりも長く形成され、かつ防水紙２５は芯材２４と同じ長さに形成されている。そして、この端部処理材２３を図１（ａ）の端部処理に使用する場合には、図２（ｃ）の右端部において、芯材２４及び防水紙２５が化粧処理材１３ａの端部に揃えて切除される（図２（ｃ）の右側の点線）。引き続いて、同じ端部の芯材２４のみを図２（ｃ）の左側の点線の位置で切除する。或いは、芯材２４を防水紙２５と共に図２（ｃ）の左側の点線の位置で切除した後、新たな防水紙２５を切除された部分が覆われるように貼り付ける。このようにして、図２（ａ）に示す端部処理材２３に相当するものが得られる。また、図２（ｃ）の端部処理材２３を図２（ｂ）の端部処理材２３として使用する場合には、その右端部において芯材２４のみを化粧処理材１３ａの端部の位置で切除すると共に、左端部において芯材２４及び防水紙２５を化粧処理材１３ａの端部の位置（図２（ｃ）の一点鎖線の位置）で切除する。
【００３９】
図２（ｄ）に示す端部処理材２３も、図１（ａ）に示す表装材１４の右端部及び上端部のいずれの端部処理にも使用可能なものである。すなわち、図２（ｄ）に示す端部処理材２３の化粧処理材１３ａは表装材１４を構成する化粧材１３と同じ長さ及び厚さに設定されると共に、防水紙２５はその化粧処理材１３ａと同じ長さに形成され、芯材２４はそれらよりも短く形成されている。そして、この端部処理材２３を図２（ａ）の端部処理材２３として使用する場合には、その左端部において芯材２４を防水紙２５と同じ長さになるように短い芯材２４ａを接着すると共に、化粧処理材１３ａを図２（ｄ）の点線の位置で切除する。また、図２（ｂ）の端部処理材２３として使用する場合には、その左端部において芯材２４を防水紙２５の長さと同じになるように短い芯材２４ａを接着すると共に、右端部において化粧処理材１３ａを図２（ｄ）の一点鎖線の位置で切除する。
【００４０】
さて、図１（ａ）に示すように、表装材１４右端の露出部を図２（ａ）に示す端部処理材２３で処理する場合には、芯材２４の上面及び側面、化粧処理材１３ａの斜面２６及び防水紙２５の延出部に設けられている剥離テープを剥がして粘着剤層を露出させておく。一方、表装材１４における化粧材１３の右端部が４５度の傾斜面２８となるように削る。そして、端部処理材２３の芯材２４が表装材１４端部の介装シート１２裏面及び基板１１端面に係合して基板非支持部２７を埋めると共に、その化粧処理材１３ａの斜面２６が表装材１４の傾斜面２８に当接するように配置する。このとき、芯材２４、化粧処理材１３ａ及び防水紙２５が粘着剤層によって表装材１４の基板１１、化粧材１３及び介装シート１２に粘着される。
【００４１】
この場合、図２（ｂ）に示すように、端部処理材２３の芯材２４が表装材１４の基板１１と同一の上下位置にあり、端部処理材２３の化粧処理材１３ａが表装材１４の化粧材１３と同一の上下位置にあり、さらに防水紙２５は表装材１４の基板１１裏面を覆うように配置される。
【００４２】
このようにして、表装材１４端部の露出部が端部処理材２３により覆われる。このとき、端部処理材２３の化粧処理材１３ａ端縁が表装材１４の化粧材１３端縁と稜線を形成するように連続的に仕上げられる。さらに、端部処理材２３の芯材２４が表装材１４の基板１１と一体的に形成され、表装材１４の端部が補強される。加えて、端部処理材２３の芯材２４、基板１１の裏面などが防水紙２５で被覆され、表装材１４の端部からの水の浸入が防止される。
【００４３】
以上の第１実施形態によって発揮される作用及び効果を、以下に記載する。
第１実施形態の表装材１４の端部処理方法においては、表装材１４の端部に形成される裏側重ね代部１６に基づく基板非支持部２７を、断熱性及び防水性を有する端部処理材２３で埋めるように構成されている。このため、表装材１４の端部において端部処理材２３のもつ特性を発現することができると同時に、基板非支持部２７が端部処理材２３で埋められるためその部分で所要の強度を発現でき、さらに露出部分を覆うことができる。従って、表装材１４の端部における断熱性及び防水性を向上させることができると共に、その部分の強度を保持することができ、かつ外観を良好にすることができる。
【００４４】
・  端部処理材２３は、樹脂発泡体で形成された芯材２４が防水紙２５及び化粧処理材１３ａで覆われた材料であることにより、芯材２４によって断熱性を発揮することができると共に、防水紙２５によって防水性を発揮することができ、かつ化粧処理材１３ａによって外観を向上させることができる。
【００４５】
・  図２（ａ）及び図２（ｂ）の端部処理材２３はその芯材２４が表装材１４の基板１１の長さ及び厚さに対応する形状に形成されると共に、化粧処理材１３ａが表装材１４の化粧材１３の長さ及び厚さに対応する形状に形成され、かつ防水紙２５が介装シート１２の長さと対応する長さに形成されている。このため、端部処理材２３を表装材１４端部の基板非支持部２７に嵌めこむだけで容易に表装材１４の端部処理を行うことができる。
【００４６】
・  図２（ｃ）の端部処理材２３はその化粧処理材１３ａが表装材１４の化粧材１３の長さと対応する長さと対応する長さに形成されると共に、芯材２４が表装材１４の基板１１の長さより長く形成され、かつ防水紙２５が芯材２４の長さと対応する長さに形成されている。従って、芯材２４の端部を切除して所要の長さとした端部処理材２３を用いることにより、表装材１４の端部処理を行うことができる。
【００４７】
・  図２（ｄ）の端部処理材２３はその化粧処理材１３ａが表装材１４の化粧材１３の長さより長く形成されると共に、芯材２４が表装材１４の基板１１長さよりも短く形成され、かつ防水紙２５が化粧処理材１３ａの長さと対応する長さに形成されている。このため、化粧処理材１３ａの端部を切除して所要の長さにすると共に、短い芯材２４ａを足して所要の長さとした端部処理材２３を用いることにより、表装材１４の端部処理を行うことができる。
【００４８】
・  端部処理材２３における化粧処理材１３ａの外面は表装材１４の端部における化粧材１３の外面と連続性を有するように形成されているため、表装材１４の端部を綺麗に仕上げることができる。
【００４９】
・  端部処理材２３は表装材１４端部の形状に対応するように構成されているため、係る端部処理材２３を基板非支持部２７に嵌め込むだけで容易に表装材１４の端部処理を行うことができる。加えて、端部処理材２３はその芯材２４を覆う防水紙２５上に粘着剤層が設けられているため、その上の剥離テープを剥がして貼り付けるだけで表装材１４の端部処理を簡単に行うことができる。
【００５０】
・  表側重ね代部１７及び裏側重ね代部１６には粘着剤層１８、１９が設けられているため、施工現場において粘着剤の塗布作業が不要となり、施工を容易に行うことができる。粘着剤層１８、１９上にはそれを覆う剥離テ−プ２０、２１が設けられていることから、表側重ね代部１７に貫通孔をあける際に、粘着剤層１８、１９に切り屑等が付着することがなく、粘着剤層１８、１９の粘着作用が損なわるおそれがない。
【００５１】
・  基板１１は金属製で剛性を有しているため、表装材１４はそれ自体で形状を保持することができ、壁面等が平滑面でなくても表装材１４を凹凸なく整然と配置することができる。化粧材１３及び介装シ−ト１２は柔軟性を有しているため、表装材１４の固定に使用される釘等の頭部の出っ張りを吸収することができ、表装材１４を浮かせることなく、全体として同一平面を形成するように各表装材１４を配置することができ、化粧材１３間に段差を生じさせることなく表装材１４を配置させることができる。
（第２実施形態）
以下、この発明の第２実施形態を図３及び図４に基づいて説明する。
【００５２】
図４（ａ）、（ｂ）に示すように、端部処理材２３は四角棒状をなす芯材２４の外周部に防水紙２５が巻付けられ接着されて構成されている。図４（ａ）に示す芯材２４の左端部は防水紙２５と同じ長さに形成され、右端部は防水紙２５よりも短く形成されている。係る芯材２４は、第１実施形態の芯材２４と同様に断熱性を有する樹脂発泡体で形成されている。芯材２４に巻き付けられる防水紙２５上には図示しない粘着剤層が設けられ、その上には剥離テープが貼着されている。
【００５３】
この端部処理材２３を用いて表装材１４の端部処理を行う場合には、防水紙２５上の剥離テープが剥された後、図３に示すように端部処理材２３の芯材２４が表装材１４端部の基板非支持部２７を形成する基板１１の端面と介装シート１２の裏面に係合され、基板非支持部２７が埋められる。この場合、端部処理材２３の芯材２４は表装材１４の基板１１と同じ上下位置に配置され、端部における強度の維持が図られる。
【００５４】
この第２実施形態によれば、端部処理材２３は芯材２４の外周に防水紙２５を貼り付けるだけの簡単な構成であり、表装材１４の端部処理に際しても端部処理材２３を表装材１４の基板非支持部２７に嵌め込むだけで端部処理を短時間のうちに行うことができる。
（第３実施形態）
以下、この発明の第３実施形態を図１１及び図１２に基づいて説明する。
【００５５】
図１１（ａ）、（ｂ）及び図１２に示すように、端部処理材２３を構成する芯材２４は断面矩形状に形成され、表装材１４の端部処理時に表装材１４の基板１１の端面１１ｃに対向する部分（非貼着部分２９）及び端面３７以外の外周面が端部処理時までに防水紙２５で覆われるようになっている。基板１１の端面１１ｃに対向する部分及び端面３７以外の外周面とは、芯材２４の短辺側外面３０、長辺側外面３１及び裏面側外面３６を意味する。端部処理前には、芯材２４の短辺側外面３０及びそれに連なる長辺側外面３１に防水紙２５が貼着されている。芯材２４の非貼着部分２９は基板１１の端面１１ｃに密着される面であって、防水紙２５が不要な部分であり、前記密着により防水性を保持することができる。
【００５６】
また、防水紙２５は芯材２４の長辺側外面３１から真直ぐに延出され、その延出部３２端部の内側面には両面粘着テープ３３が貼着されている。この両面粘着テープ３３は、表装材１４の端部処理を行う場合に防水紙２５の延出部３２を９０度内側へ折曲げたとき基板１１の裏面１１ｄに達する長さに形成されている。図１１（ｂ）に示すように、芯材２４の長辺側外面３１の防水紙２５上には、防水紙２５よりも短い長さの化粧処理材１３ａが貼着されている。なお、防水紙２５の両端部外面には、一定幅で粘着テープ３５が貼着されている。
【００５７】
そして、図１２に示すように、表装材１４の端部処理を行う場合には、端部処理材２３の芯材２４の非貼着部分２９を基板１１の端面１１ｃに密着させる。このとき、化粧材１３端部の傾斜面２８と化粧処理材１３ａ端部の斜面２６とが密接し、化粧材１３と化粧処理材１３ａとが連なって化粧処理される。その後、防水紙２５端部の両面粘着テープ３３の離型紙を剥がし、防水紙２５を内側へ９０度曲げて基板１１の裏面１１ｄに宛がい、両面粘着テープ３３の粘着部を基板１１の裏面１１ｄに接着することにより、防水紙２５の延出部３２を芯材２４の裏面側外面３６及び基板１１端部の裏面１１ｄを覆うことができる（図１２の二点鎖線を参照）。
【００５８】
従って、第３実施形態によれば、端部処理材２３は樹脂発泡体により形成された芯材２４によって良好な断熱性を発揮することができる。さらに、端部処理材２３の芯材２４は基板１１の端面１１ｃに対向する非貼着部分２９及び端面３７以外の外周面が防水紙２５で覆われて構成され、該防水紙２５が基板１１の裏面１１ｄ及び芯材２４の裏面側外面３６並びにそれらの境界部を覆うことができる。従って、表装材１４の防水性を保持することができると同時に、基板１１の端面１１ｃに対向する非貼着部分２９には防水紙２５を省略することができ、その分構成を簡易にしてコスト低減を図ることができる。
【００５９】
なお、前記各実施形態は、次のように変更して具体化することができる。
・  前記端部処理材２３を、表装材１４の端部に形成される露出状態の基板非支持部２７に予め埋めておくことができる。このように構成した場合、施工現場における表装材１４の端部処理作業を省略することができる。
【００６０】
・  前記基板非支持部２７は基板１１の端部を切除することにより形成することもできる。すなわち、基板１１の端部を除去することによって裏側重ね代部１６に相当する凹部を形成することができる。言い換えれば、表装材１４の端部に裏側重ね代部１６がない場合でも、基板１１の端部を切除して基板非支持部２７を形成することができ、形成された基板非支持部２７の端部処理を前記実施形態の方法で行うことができる。例えば、表装材１４に貫通孔を開けて窓などの開口部を設ける場合には、その開口部を形成する内周面は露出されるが、その内周部には表装材１４の基板１１が存在している。そのため、該基板１１を切除し、形成された基板非支持部２７を端部処理材２３で処理することができる。
【００６１】
・  第１実施形態の端部処理材２３を構成する芯材２４の上面及び側面、化粧処理材１３ａの斜面２６及び防水紙２５の延出部上に設けられる粘着剤層又は第２実施形態の防水紙２５上に設けられる粘着剤層を省略することもできる。そして、表装材１４の端部処理時に粘着剤を必要部分に塗布して端部処理を行うことができる。
【００６２】
・  表装材１４が適用される対象物は、建築物の床面又は天井面であってもよい。この場合にも、第１実施形態又は第２実施形態と同様にして裏側重ね代部１６に基づく基板非支持部２７を端部処理材２３で埋めることができる。
【００６３】
・  表側重ね代部１７、裏側重ね代部１６を表装材１４の上端部及び下端部のみに設けた表装材１４を用いることにより、いわゆる鎧貼りが可能である。また、この鎧貼りを横方向に行うこともできる。
【００６４】
・  図１０に示すＧ、Ｈ及びＩの位置に標準形（同図Ａ位置）の表装材１４を用い、各裏側重ね代部１６と同形同大の基板１１を各裏側重ね代部１６と壁面等の下地との間に使用することができる。この場合でも、先に各裏側重ね代部１６と同形同大の基板１１を壁面等の下地に固定し、その位置に合わせて各表装材１４を貼り付けていけば、前記各実施形態と同様の作用及び効果を得ることができる。
【００６５】
・  基板１１として、前述した金属や樹脂発泡体のほかに、サイディング材、ガラス材、シラスボード、軽量気泡コンクリート（ＡＬＣ）、合板、木質繊維板、石膏ボード等を用いることができる。また、基板１１及び芯材２４として、樹脂発泡体以外の合成樹脂（プラスチック）を用いることができる。
【００６６】
・  介装シ−ト１２の色を各種用意し、目地を好みの色にし、デザイン効果を発揮させるように構成することができる。
・  化粧材１３を、御影石調、大理石調、砂岩調、ブロンズ調等、目的とする石材等の調度に変更し、用途に応じて、好みの化粧材を選択することができ、用途の幅を広げるように構成することができる。
【００６７】
・  表装材１４を直角に屈曲させ、表装材１４を壁面の角に対応させて使用可能にすることもできる。
・  介装シ−ト１２を化粧材１３及び基板１１と同形同大に形成し、表側重ね代部１７及び裏側重ね代部１６に相当する部分を別体のシートとして用意し、介装シ−ト１２と別体シートとを接着して表側重ね代部１７及び裏側重ね代部１６を形成することもできる。
【００６８】
・  前記第３実施形態において、端部処理材２３として化粧処理材１３ａを省略したものを使用することもできる。この構成は、表装材１４の端部が別の部材で隠されており、端部処理材２３に化粧処理材１３ａを必要としないときなどに採用される。
【００６９】
・  第３実施形態において、両面粘着テープ３３を省略し、端部処理時に防水紙２５の延出部３２端部の内側面に接着剤を塗布し、防水紙２５の延出部３２を基板１１の裏面１１ｄに接着するように構成することも可能である。
【００７０】
・  第３実施形態において、端部処理材２３の防水紙２５を裏面側外面３６にも予め貼着しておくことができる。
次に、前記実施形態から把握できる技術的思想について以下に記載する。
【００７１】
〇  前記表装材における化粧材の端部に傾斜面を設けると共に、化粧処理材に前記化粧材の傾斜面に対応する斜面を設け、端部処理材が基板非支持部に埋め込まれたときに化粧処理材の斜面が化粧材の傾斜面に突き合されて化粧処理材と化粧材の外面が連続性を有するように形成されることを特徴とする請求項７に記載の表装材の端部処理方法。この方法によれば、簡単な構成で請求項７に係る発明の効果を容易に発揮させることができる。
【００７２】
〇  前記接着は防水紙の端部に貼着された粘着テープにより行われることを特徴とする請求項６に記載の表装材の端部処理方法。この方法によれば、請求項６に係る発明の効果に加え、防水紙を基板の裏面に容易に貼着させることができる。
【００７３】
〇  前記接着は防水紙の端部に貼着された粘着テープにより行われることを特徴とする請求項８に記載の表装材の端部処理方法。この方法によれば、請求項８に係る発明の効果に加え、防水紙を基板の裏面に容易に貼着させることができる。
【図面の簡単な説明】
【００７４】
【図１】（ａ）は第１実施形態の端部処理材を用いて表装材の端部を処理する状態を示す分解斜視図、（ｂ）は表装材の端部を処理した後の状態を示す斜視図。
【図２】（ａ）〜（ｄ）は、４種類の端部処理材をそれぞれ示す斜視図。
【図３】第２実施形態の端部処理材を用いて表装材の端部を処理する状態を示す分解斜視図。
【図４】（ａ）は第２実施形態の端部処理材を示す斜視図、（ｂ）は端部処理材を示す断面図。
【図５】表装材の一部を破断して示す斜視図。
【図６】（ａ）は化粧材を示す平面図、（ｂ）は基板上に介装シートを貼り付けた状態を示す平面図及び（ｃ）は基板を示す平面図。
【図７】図５の７−７線における要部拡大断面図。
【図８】表装材を示す平面図。
【図９】（ａ）〜（ｈ）は、それぞれ異なる形態の表装材を示す平面図。
【図１０】表装材を複数並べた状態を示す平面図。
【図１１】（ａ）は第３実施形態の端部処理材を内側から見た状態を示す斜視図、（ｂ）はその端部処理材を外側から見た状態を示す斜視図。
【図１２】第３実施形態の端部処理材を基板の端部に組付けた状態を示す断面図。
【符号の説明】
【００７５】
１１…基板、１１ａ、１１ｂ…基板の隣接する２辺、１１ｃ…基板の端部としての端面、１１ｄ…基板の裏面、１２ａ、１２ｂ…介装シートの隣接する２辺、１２ｃ、１２ｄ…介装シートの他の隣接する２辺、１３ｃ、１３ｄ…化粧材の隣接する２辺、１２…介装シート、１３…化粧材、１３ａ…化粧処理材、１４…表装材、１５…壁面、１６…裏側重ね代部、１７…表側重ね代部、２３…端部処理材、２４…芯材、２４ａ…短い芯材、２５…防水紙、２７…基板非支持部、３７…芯材の端面。
【図１】
2009046974.tif 000003
【図２】
2009046974.tif 000004
【図３】
2009046974.tif 000005
【図４】
2009046974.tif 000006
【図５】
2009046974.tif 000007
【図６】
2009046974.tif 000008
【図７】
2009046974.tif 000009
【図８】
2009046974.tif 000010
【図９】
2009046974.tif 000011
【図１０】
2009046974.tif 000012
【図１１】
2009046974.tif 000013
【図１２】
2009046974.tif 000014